(57)【要約】【課題】収納時に延長管がぐらついたりすることが無く、使い勝手の良い電気掃除機を提供する。【解決手段】掃除機本体１の後端面５に形成された係止凹部６に、延長管３または床ノズル（図示せず）に形成した被係止凸部７を挿入係止して、前記延長管３及び前記床ノズルを立て掛け状態に保持可能な電気掃除機において、前記係止凹部６又は前記被係止凸部７のいずれか一方に永久磁石８を、他方に鉄などの磁性体材料から成る保持部材９をそれぞれ設けたもので、永久磁石８の磁力（吸引力）により前記延長管３を確実に保持できるようになり、延長管３がぐらついたり、外れて倒れたりするようなことがなくなるものである。【選択図】図１
2012183248.tif 000002
【特許請求の範囲】
【請求項１】
掃除機本体の後端面に形成された係止凹部に、延長管または床ノズルに形成した被係止凸部を挿入係止して、前記延長管及び前記床ノズルを立て掛け状態に保持可能な電気掃除機において、前記係止凹部又は前記被係止凸部のいずれか一方に永久磁石を、他方に鉄などの磁性体材料から成る保持部材をそれぞれ設けたことを特徴とする電気掃除機。
【請求項２】
手元操作部を有するホースを備え、掃除機本体の後端面に形成された係止凹部に、延長管または床ノズルに形成した被係止凸部を挿入係止して、前記延長管及び前記床ノズルを立て掛け状態に保持可能な電気掃除機において、前記係止凹部に電磁石を、前記被係止凸部に鉄などの磁性体材料から成る保持部材をそれぞれ設け、前記電磁石の電源をオン、オフするスイッチを前記手元操作部に設けたことを特徴とした電気掃除機。
【請求項３】
被係止凸部に、保持部材に代え永久磁石を設け、電磁石の極性がスイッチをオン、オフした時に切り替わるようにしたことを特徴とした請求項２に記載の電気掃除機。
【請求項４】
電磁石のオン、オフと、掃除機本体に内蔵された電動送風機の運転とを連動させたことを特徴とした請求項２又は３に記載の電気掃除機。
【請求項５】
電磁石を動作させる電源を、電池または二重層キャパシタにした請求項２〜４のいずれか１項に記載の電気掃除機。
【発明の詳細な説明】
【技術分野】
【０００１】
本発明は、電気掃除機に関するもので、特に、掃除機本体の後端面に延長管を立て掛け状態に保持することができる電気掃除機に関するものである。
【背景技術】
【０００２】
従来のこの種の電気掃除機について図５、図６を用いて説明する。図５は、同電気掃除機の延長管を立て掛けた状態の斜視図、図６（ａ）は、同電気掃除機の掃除機本体の上部後面斜視図、図６（ｂ）は、同電気掃除機の被係止凸部の斜視図である。
【０００３】
図５、６において、従来の電気掃除機は、電動送風機（図示せず）と紙パックなどのフィルター（図示せず）を内蔵した掃除機本体１と連通したホース２、延長管３、床ノズル４が接続されて構成されている。前記掃除機本体１の後端面５に係止凹部６を形成していると共に、延長管３または床ノズル４に、前記係止凹部６と対向して被係止凸部７を形成している。前記被係止凸部７を前記係止凹部６に挿入係止することにより延長管３および床ノズル４を立て掛けた状態に保持することができるようになっていた（例えば、特許文献１参照）。
【０００４】
以上のように構成された従来の電気掃除機の動作について説明すると、電動送風機が運転すると気流が発生し、ごみと一緒に気流が床ノズル４から吸い込まれ、延長管３、ホース２を通って掃除機本体１内に内蔵された紙パックでごみが捕集された後、空気のみが掃除機本体１から排出されるものであった。
【０００５】
ここで、掃除機本体１の運転を途中で一旦止めて周囲の片付けなどをする場合、被係止凸部７を係止凹部６に挿入係止することにより、延長管３、床ノズル４を掃除機本体１に立て掛けて簡単に保持でき、次に掃除機本体１を再運転する時にも「サッと」すぐに使用できるので使い勝手が良いものであった。
【先行技術文献】
【特許文献】
【０００６】
【特許文献１】特許第３１２９３２０号公報
【発明の概要】
【発明が解決しようとする課題】
【０００７】
しかしながら、前記特許文献１に開示されたような従来の電気掃除機の構成では、掃除機本体１の後端面５に形成した係止凹部６と、延長管３または床ノズル４に設けた被係止凸部７の寸法ばらつきにより、被係止凸部７を挿入した時に硬くて挿入し難かったり、外す時に掃除機本体１が持ち上がったり、逆にがたつきが発生して立て掛けた延長管３がぐらついて倒れたりして使い勝手が悪くなるという課題があった。
【０００８】
本発明は、上記従来の課題を解決するもので、延長管及び床ノズルを立て掛けて保持する場合、延長管のぐらつきがなく確実に保持できると共に、簡単に取り外すこともできるようにして、使い勝手を著しく向上させた電気掃除機を提供することを目的とするものである。
【課題を解決するための手段】
【０００９】
前記従来の課題を解決するために本発明の電気掃除機は、掃除機本体の後端面に形成された係止凹部に、延長管または床ノズルに形成した被係止凸部を挿入係止して、前記延長
管及び前記床ノズルを立て掛け状態に保持可能な電気掃除機において、前記係止凹部又は前記被係止凸部のいずれか一方に永久磁石を、他方に鉄などの磁性体材料から成る保持部材をそれぞれ設けたもので、永久磁石の磁力（吸引力）により前記延長管を確実に保持できるようになり、延長管がぐらついたり、外れて倒れたりするようなことがなくなるものである。
【００１０】
また、本発明の電気掃除機は、手元操作部を有するホースを備え、掃除機本体の後端面に形成された係止凹部に、延長管または床ノズルに形成した被係止凸部を挿入係止して、前記延長管及び前記床ノズルを立て掛け状態に保持可能な電気掃除機において、前記係止凹部に電磁石を、前記被係止凸部に鉄などの磁性体材料から成る保持部材をそれぞれ設け、前記電磁石の電源をオン、オフするスイッチを前記手元操作部に設けたもので、延長管を保持する時はスイッチをオンして電磁石の磁力（吸引力）で延長管を確実に保持できると共に、延長管を取り外す時はスイッチをオフして電磁石の磁力をなくすることで簡単に取り外すことができるので更に使い勝手が良くなるものである。
【発明の効果】
【００１１】
本発明の電気掃除機は、延長管及び床ノズルを立て掛けて保持する場合、延長管のぐらつきがなく確実に保持できると共に、簡単に取り外すこともできるので、使い勝手を著しく向上させることが出来るものである。
【図面の簡単な説明】
【００１２】
【図１】（ａ）本発明の第１の実施の形態における電気掃除機の掃除機本体の上部後面斜視図、（ｂ）同電気掃除機の被係止凸部の斜視図、（ｃ）同被係止凸部の裏面図
【図２】本発明の第２の実施の形態における電気掃除機の全体斜視図
【図３】（ａ）同電気掃除機の掃除機本体の上部後面斜視図、（ｂ）同電気掃除機の被係止凸部の斜視図、（ｃ）同被係止凸部の裏面図
【図４】本発明の第３の実施の形態における電気掃除機の動作を説明するブロック図
【図５】従来の電気掃除機の延長管を立て掛けた状態の斜視図
【図６】（ａ）同電気掃除機の掃除機本体の上部後面斜視図、（ｂ）同電気掃除機の被係止凸部の斜視図
【発明を実施するための形態】
【００１３】
第１の発明は、掃除機本体の後端面に形成された係止凹部に、延長管または床ノズルに形成した被係止凸部を挿入係止して、前記延長管及び前記床ノズルを立て掛け状態に保持可能な電気掃除機において、前記係止凹部又は前記被係止凸部のいずれか一方に永久磁石を、他方に鉄などの磁性体材料から成る保持部材をそれぞれ設けたもので、永久磁石の磁力（吸引力）により前記延長管を確実に保持できるようになり、延長管がぐらついたり、外れて倒れたりするようなことがなくなるものである。
【００１４】
第２の発明は、手元操作部を有するホースを備え、掃除機本体の後端面に形成された係止凹部に、延長管または床ノズルに形成した被係止凸部を挿入係止して、前記延長管及び前記床ノズルを立て掛け状態に保持可能な電気掃除機において、前記係止凹部に電磁石を、前記被係止凸部に鉄などの磁性体材料から成る保持部材をそれぞれ設け、前記電磁石の電源をオン、オフするスイッチを前記手元操作部に設けたもので、延長管を保持する時はスイッチをオンして電磁石の磁力（吸引力）で延長管を確実に保持できると共に、延長管を取り外す時はスイッチをオフして電磁石の磁力をなくすることで簡単に取り外すことができるので更に使い勝手が良くなるものである。
【００１５】
第３の発明は、特に、第２の発明の被係止凸部に、保持部材に代え永久磁石を設け、電磁石の極性がスイッチをオン、オフした時に切り替わるようにしたもので、延長管を保持
する時は電磁石の極性を前記永久磁石と異極にして磁力（吸引力）で確実に保持でき、延長管を取り外す時は電磁石と永久磁石の極性を同極にすることにより磁力（反発力）で簡単に外れるようにしたもので更に使い勝手が向上するものである。
【００１６】
第４の発明は、特に、第２又は第３の発明の電磁石のオン、オフと、掃除機本体に内蔵された電動送風機の運転とを連動させたもので、掃除機本体の運転を停止した時に電磁石の磁力で延長管が確実に保持され、次に電気掃除機の運転を再開した時に電磁石の磁力が無くなり延長管が簡単に外れるようになるもので、更に使い勝手が向上できる。
【００１７】
第５の発明は、特に、第２〜４のいずれか一つの発明の電磁石を動作させる電源を、電池または二重層キャパシタにしたもので、掃除機本体の電源コードをコンセントから外した時でも電磁石の磁力によって延長管を確実に保持できるものである。
【００１８】
以下、本発明の実施の形態について、図面を参照しながら説明する。なお、この実施の形態により本発明が限定されるものではない。
【００１９】
（実施の形態１）
図１（ａ）は、本発明の第１の実施の形態における電気掃除機の掃除機本体の上部後面斜視図、図１（ｂ）は、同電気掃除機の被係止凸部の斜視図、図１（ｃ）は、同被係止凸部の裏面図である。なお、上記従来の電気掃除機と同一構成の部品については、同一符号を付してその説明を省略する。
【００２０】
図１において、本実施の形態における電気掃除機は、掃除機本体１の後端面５に形成した係止凹部６に永久磁石８を設けると共に、延長管３または床ノズル４に形成した被係止凸部７に鉄などの磁性体材料から成る保持部材９を設けたもので、他の構成は、従来の電気掃除機と同一である。
【００２１】
以上のように構成された本実施の形態における電気掃除機の動作について説明すると、掃除機本体１の運転を途中で一旦止めて周囲の片付けなどをするため、延長管３、床ノズル４を掃除機本体１に立て掛ける時に、延長管３または床ノズル４に設けた保持部材９が掃除機本体１の後端面５に形成した係止凹部６に設けた永久磁石８と磁力（吸引力）で吸着するので、延長管３が外れて倒れることも無く確実に保持できるようになる。
【００２２】
また、係止凹部６と被係止凸部７のクリアランス寸法をやや大きめにしておけば、挿入時に挿入しやすくなり挿入性の改善も図れる。
【００２３】
次に、掃除機本体１を再運転する時にも「サッと」すぐに延長管３を外して使用できるので使い勝手の向上が図れるものである。
【００２４】
また、前記永久磁石８は、電磁石１０にしても同様な効果が得られ、かつ、係止凹部６の位置は、掃除機本体１の後端面５に限定されるものではない。
【００２５】
（実施の形態２）
図２は、本発明の第２の実施の形態における電気掃除機の全体斜視図、図３（ａ）は、同電気掃除機の掃除機本体の上部後面斜視図、図３（ｂ）は、同電気掃除機の被係止凸部の斜視図、図３（ｃ）は、同被係止凸部の裏面図である。なお、上記従来の電気掃除機と同一構成の部品については、同一符号を付してその説明を省略する。
【００２６】
本実施の形態における電気掃除機は、係止凹部６には電磁石１０を、被係止凸部７には永久磁石８をそれぞれ設け、前記電磁石１０を動作させるスイッチ１１を手元操作部１２
に設けたもので、その他の構成は、従来の電気掃除機と同一である。
【００２７】
以上のように構成された本実施の形態における電気掃除機の動作について説明すると、まず前記永久磁石８の極性をＮ極（またはＳ極）にした場合、掃除機本体１の運転を途中で一旦止めて周囲の片付けをするために延長管３を立て掛ける時に、スイッチ１１で係止凹部６の電磁石１０の極性をＳ極（またはＮ極）にすると、被係止凸部７の永久磁石８との間に磁力による吸引力が働き、延長管３は確実にしっかりと保持される。
【００２８】
次に、掃除機本体１を再運転する時に、スイッチ１１により電磁石１０の極性をＮ極（またはＳ極）にすると、前記永久磁石８の極性と同極になるため磁力による反発力が働き、延長管３を簡単に取り外すことができるので、更に使い勝手の向上が図れるものである。
【００２９】
なお、上記実施の形態では、被係止凸部７に永久磁石８を設け、スイッチ１１で電磁石１０の極性を切替えるようにしたが、被係止凸部７に、実施の形態１の保持部材９を設け、スイッチ１１で単に電磁石１０をオン、オフするようにしても良い。
【００３０】
（実施の形態３）
図４は、本発明の実施の形態３における電気掃除機の動作を説明するブロック図である。なお、上記実施の形態における電気掃除機と同一構成の部品については同一符号を付し、説明を省略する。
【００３１】
本実施の形態における電気掃除機は、制御回路部１３と、電動送風機１４用のリレーＡ１５と、係止凹部６に設けた電磁石１０用のリレーＢ１６を備えている。その他の構成は、上記実施の形態２における電気掃除機のそれと同じである。
【００３２】
以上のように構成された本実施の形態における電気掃除機の動作について説明すると、まず、手元操作部１２のスイッチ１１でリレーＡ１５をオンさせて電動送風機１４を運転させた時、制御回路部１３によりリレーＢ１６をオフにして係止凹部６に設けた電磁石１０を動作させないようにする。
【００３３】
次に、掃除を中断してスイッチ１１によりリレーＡ１５をオフにして電動送風機１４を停止させた時は、リレーＢ１６をオンして係止凹部６に設けた電磁石１０を動作させることにより、延長管３または床ノズル４に設けた保持部材９との間に磁力による吸引力が働くので延長管３を確実に保持することが出来る。
【００３４】
次に、掃除機本体１の運転を再開した場合は、前述のとおり電磁石１０の磁力がなくなるので簡単に延長管３を取り外すことができる。
【００３５】
このように電動送風機１４の運転と電磁石１０の動作を連動させることにより、更に使い勝手の向上が図れるものである。
【００３６】
なお、電磁石１０を動作させる電源として、電池（図示せず）または二重層キャパシタを用いるようにすれば、掃除機本体１の電源コード（図示せず）をコンセントから外した時でも電磁石１０の磁力によって延長管３を確実に保持することができる。
【産業上の利用可能性】
【００３７】
以上のように、本発明にかかる電気掃除機は、延長管を掃除機本体に立て掛けた時に、確実に延長管を保持できるとともに、取り外しも簡単に出来るので、アタッチメント等を本体に保持するような家庭用電化機器、及び産業機器等の用途にも幅広く適用できる。
【符号の説明】
【００３８】
１  掃除機本体
２  ホース
３  延長管
４  床ノズル
５  後端面
６  係止凹部
７  被係止凸部
８  永久磁石
９  保持部材
１０  電磁石
１１  スイッチ
１２  手元操作部
１３  制御回路部
１４  電動送風機
１５  リレーＡ
１６  リレーＢ
【図４】
2012183248.tif 000003
【図１】
2012183248.tif 000004
【図２】
2012183248.tif 000005
【図３】
2012183248.tif 000006
【図５】
2012183248.tif 000007
【図６】
2012183248.tif 000008